(57)【要約】【課題】複数の対象が出現するコンテンツを視聴するユーザに適切な連帯感を提供する。【解決手段】コメント提供方法は、ユーザ端末５が、入力装置７０から、複数の対象が出現するコンテンツデータに関するコメントデータを受け付け、コメント提供サーバ１に送信するステップと、コメント提供サーバ１が、ユーザ端末５から、複数の対象が出現するコンテンツデータに関するコメントデータを受信するステップと、コメント提供サーバが、コメントデータを、ユーザ端末５に送信するステップと、ユーザ端末５が、コメント提供サーバ１から受信したコメントデータを、複数の対象のうちユーザ端末のユーザに対応する対象に応じた表示態様で表示するステップを備える。【選択図】      図８
2019087140.tif 000002
【特許請求の範囲】
【請求項１】
ユーザ端末から、複数の対象が出現するコンテンツデータに関する投稿データを受信する投稿受信部と、
前記投稿データを、前記複数の対象のうち前記ユーザ端末のユーザに対応する対象に応じた表示態様で出力する投稿出力部
を備えることを特徴とする投稿提供サーバ。
【請求項２】
前記ユーザ端末に、前記複数の対象のいずれかを選択させる選択画面を表示し、選択された対象を、前記ユーザに対応する対象とするユーザ支持対象決定部
をさらに備えることを特徴とする請求項１に記載の投稿提供サーバ。
【請求項３】
前記ユーザ支持対象決定部は、前記ユーザ端末において前記コンテンツデータが出力された直後に、前記選択画面を表示する
ことを特徴とする請求項２に記載の投稿提供サーバ。
【請求項４】
前記ユーザ支持対象決定部は、前記コンテンツデータを出力する前に、前記選択画面を表示する
ことを特徴とする請求項２に記載の投稿提供サーバ。
【請求項５】
前記コンテンツデータは、対象毎に異なり、
前記ユーザ支持対象決定部は、前記選択画面で選択された対象に対応するコンテンツデータを出力するように制御する
ことを特徴とする請求項４に記載の投稿提供サーバ。
【請求項６】
前記ユーザ支持対象決定部は、所定のタイミングで前記選択画面を表示する処理を繰り返し、前記ユーザに対応する対象が変更された場合、前記投稿データを、変更後の対象に応じた表示態様で表示する
ことを特徴とする請求項２に記載の投稿提供サーバ。
【請求項７】
前記表示態様は、
前記投稿データの文字の色、濃さ、大きさ、投稿データを流す速度または方向、投稿データの文字に付加する記号または文字、および投稿データの表示エリアのうちのいずれか一つ以上、または投稿データの非表示である
ことを特徴とする請求項１ないし６のいずれか１項に記載の投稿提供サーバ。
【請求項８】
コンピュータを、
ユーザ端末から、複数の対象が出現するコンテンツデータに関する投稿データを受信する投稿受信部と、
前記投稿データを、前記複数の対象のうち前記ユーザ端末のユーザに対応する対象に応じた表示態様で出力する投稿出力部
として機能させることを特徴とする投稿提供プログラム。
【請求項９】
コンピュータを、
入力装置から、複数の対象が出現するコンテンツデータに関する投稿データを受け付け、前記投稿データを投稿提供サーバに送信する投稿受付部と、
前記投稿提供サーバから受信した前記投稿データを、前記複数の対象のうち前記コンピュータのユーザに対応する対象に応じた表示態様で表示する投稿表示部
として機能させることを特徴とするユーザプログラム。
【請求項１０】
ユーザ端末と投稿提供サーバとを備える投稿提供システムであって、
前記ユーザ端末は、
入力装置から、複数の対象が出現するコンテンツデータに関する投稿データを受け付け、前記投稿提供サーバに送信する投稿受付部と、
前記投稿データを、前記複数の対象のうち前記ユーザ端末のユーザに対応する対象に応じた表示態様で表示する投稿表示部を備え、
前記投稿提供サーバは、
前記ユーザ端末から、複数の対象が出現するコンテンツデータに関する投稿データを受信する投稿受信部と、
前記投稿データを、前記複数の対象のうち前記ユーザ端末のユーザに対応する対象に応じた表示態様で出力する投稿出力部を備える
ことを特徴とする投稿提供システム。
【請求項１１】
ユーザ端末と投稿提供サーバとを備える投稿提供システムに用いられる投稿提供方法であって、
前記ユーザ端末が、入力装置から、複数の対象が出現するコンテンツデータに関する投稿データを受け付け、前記投稿提供サーバに送信するステップと、
前記投稿提供サーバが、前記ユーザ端末から、複数の対象が出現するコンテンツデータに関する投稿データを受信するステップと、
前記投稿提供サーバが、前記投稿データを、前記ユーザ端末に送信するステップと、
前記ユーザ端末が、前記投稿提供サーバから受信した前記投稿データを、前記複数の対象のうち前記ユーザ端末のユーザに対応する対象に応じた表示態様で表示するステップ
を備えることを特徴とする投稿提供方法。
【発明の詳細な説明】
【技術分野】
【０００１】
本発明は、投稿提供サーバ、投稿提供プログラム、ユーザプログラム、投稿提供システムおよび投稿提供方法に関する。
【背景技術】
【０００２】
動画データを配信し、配信された動画データに対して、ユーザが、コメントを投稿するサービスが知られている。また、野球の試合、複数人で構成されるアイドルの番組、複数の旅行先を紹介する旅番組など、複数の対象が出現するコンテンツが、動画データとして配信される場合がある。
【０００３】
複数の対象が出現するコンテンツに対して、ユーザがコメントを入力する度に、どの対象に対するコメントであるかを示す識別子を付与する方法がある（特許文献１参照）。特許文献１に記載の方法によれば、ユーザ端末においてユーザは、動画データに出現する対象の識別子を指定して、コメントを入力する。各ユーザが入力したコメントは、指定された識別子に対応する色で表示される。特許文献１によれば、動画データに登場する複数の対象のうちのいずれの対象に対するコメントであるかを明確にすることが可能になる。
【０００４】
一方、競技会場やパブリックビューイングなどで、リアルに複数の対象が出現するコンテンツを、複数のユーザで観覧する場合がある。所定の対象を贔屓するユーザ同士で、連携してその対象を応援し、贔屓対象外の対象またはその対象を贔屓するユーザに対して、対抗心を共有して、コンテンツを観覧することができる。このように、所定の対象を贔屓する複数のユーザは、連帯感を持ってリアルにコンテンツを観覧することにより、気分を向上させて、コンテンツに熱中して観覧することが可能になる。
【先行技術文献】
【特許文献】
【０００５】
【特許文献１】特開２０１７−１６５３５号公報
【発明の概要】
【発明が解決しようとする課題】
【０００６】
しかしながら、上記特許文献１に記載の技術によれば、各コメントが、どの対象に対するコメントであるかを示すにすぎず、特定の対象を贔屓して応援したい場合には不向きである。また競技会場やパブリックビューイングなどで観覧するような、同じ対象を贔屓するユーザ同士で連帯感を共有できるものでも、贔屓対象外の対象またはその対象を贔屓するユーザに対して、対抗心を共有できるものではない。
【０００７】
従って本発明の目的は、複数の対象が出現するコンテンツを視聴するユーザに適切な連帯感および対抗心を提供可能な投稿提供サーバ、投稿提供プログラム、ユーザプログラム、投稿提供システムおよび投稿提供方法を提供することである。
【課題を解決するための手段】
【０００８】
上記課題を解決するために、本発明の第１の特徴は、ユーザ端末から、複数の対象が出現するコンテンツデータに関する投稿データを受信する投稿受信部と、投稿データを、複数の対象のうちユーザ端末のユーザに対応する対象に応じた表示態様で出力する投稿出力部を備える投稿提供サーバに関する。
【０００９】
ユーザ端末に、複数の対象のいずれかを選択させる選択画面を表示し、選択された対象を、ユーザに対応する対象とするユーザ支持対象決定部をさらに備えても良い。
【００１０】
ユーザ支持対象決定部は、ユーザ端末においてコンテンツデータが出力された直後に、選択画面を表示しても良い。
【００１１】
ユーザ支持対象決定部は、コンテンツデータを出力する前に、選択画面を表示しても良い。
【００１２】
コンテンツデータは、対象毎に異なり、ユーザ支持対象決定部は、選択画面で選択された対象に対応するコンテンツデータを出力するように制御しても良い。
【００１３】
ユーザ支持対象決定部は、所定のタイミングで選択画面を表示する処理を繰り返し、ユーザに対応する対象が変更された場合、投稿データを、変更後の対象に応じた表示態様で表示しても良い。
【００１４】
表示態様は、投稿データの文字の色、濃さ、大きさ、投稿データを流す速度または方向、投稿データの文字に付加する記号または文字、および投稿データの表示エリアのうちのいずれか一つ以上、または投稿データの非表示であっても良い。
【００１５】
本発明の第２の特徴は、コンピュータを、ユーザ端末から、複数の対象が出現するコンテンツデータに関する投稿データを受信する投稿受信部と、投稿データを、複数の対象のうちユーザ端末のユーザに対応する対象に応じた表示態様で出力する投稿出力部として機能させる投稿提供プログラムに関する。
【００１６】
本発明の第３の特徴は、コンピュータを、入力装置から、複数の対象が出現するコンテンツデータに関する投稿データを受け付け、投稿データを投稿提供サーバに送信する投稿受付部と、投稿提供サーバから受信した投稿データを、複数の対象のうちコンピュータのユーザに対応する対象に応じた表示態様で表示する投稿表示部として機能させるユーザプログラムに関する。
【００１７】
本発明の第４の特徴は、ユーザ端末と投稿提供サーバとを備える投稿提供システムに関する。本発明の第４の特徴に係る投稿提供システムにおいて、ユーザ端末は、入力装置から、複数の対象が出現するコンテンツデータに関する投稿データを受け付け、投稿提供サーバに送信する投稿受付部と、投稿データを、複数の対象のうちユーザ端末のユーザに対応する対象に応じた表示態様で表示する投稿表示部を備え、投稿提供サーバは、ユーザ端末から、複数の対象が出現するコンテンツデータに関する投稿データを受信する投稿受信部と、投稿データを、複数の対象のうちユーザ端末のユーザに対応する対象に応じた表示態様で出力する投稿出力部を備える。
【００１８】
本発明の第５の特徴は、ユーザ端末と投稿提供サーバとを備える投稿提供システムに用いられる投稿提供方法に関する。本発明の第５の特徴は、ユーザ端末が、入力装置から、複数の対象が出現するコンテンツデータに関する投稿データを受け付け、投稿提供サーバに送信するステップと、投稿提供サーバが、ユーザ端末から、複数の対象が出現するコンテンツデータに関する投稿データを受信するステップと、投稿提供サーバが、投稿データを、ユーザ端末に送信するステップと、ユーザ端末が、投稿提供サーバから受信した投稿データを、複数の対象のうちユーザ端末のユーザに対応する対象に応じた表示態様で表示するステップを備える。
【発明の効果】
【００１９】
本発明によれば、複数の対象が出現するコンテンツを視聴するユーザに適切な連帯感を提供可能な投稿提供サーバ、投稿提供プログラム、ユーザプログラム、投稿提供システムおよび投稿提供方法を提供することができる。
【図面の簡単な説明】
【００２０】
【図１】本発明の実施の形態に係るコメント提供システムのシステム構成図である。
【図２】本発明の実施の形態に係るコメント提供サーバのハードウエア構成と機能ブロックを説明する図である。
【図３】本発明の実施の形態に係るコメント蓄積データのデータ構造とデータの一例を説明する図である。
【図４】本発明の実施の形態に係るユーザ端末のハードウエア構成と機能ブロックを説明する図である。
【図５】本発明の実施の形態に係るユーザ端末で表示される支持対象選択画面の一例である。
【図６】本発明の実施の形態に係るユーザ端末で表示されるコメント表示画面の一例である。
【図７】本発明の実施の形態に係るユーザ端末で表示されるコメント表示画面において、支持対象毎に分割された表示エリアを説明する図である。
【図８】本発明の実施の形態に係るコメント提供方法を説明するシーケンス図である。
【図９】第１の変形例に係るコメント提供サーバのハードウエア構成と機能ブロックを説明する図である。
【図１０】第１の変形例に係るユーザ支持対象データのデータ構造とデータの一例を説明する図である。
【図１１】第１の変形例に係るユーザ端末のハードウエア構成と機能ブロックを説明する図である。
【図１２】第１の変形例に係るコメント提供方法を説明するシーケンス図である。
【図１３】第２の変形例に係るユーザ端末で表示される支持対象選択画面の一例である。
【発明を実施するための形態】
【００２１】
次に、図面を参照して、本発明の実施の形態を説明する。以下の図面の記載において、同一または類似の部分には同一または類似の符号を付している。
【００２２】
また本発明の実施の形態において「コメント」は、他のユーザとコミュニケーションをとるために入力されたデータである。「コメント」を、「投稿」と称する場合もある。
【００２３】
本発明の実施の形態において「リアルタイム」は、厳密な意味で時間が完全に一致する場合のみならず、各装置において速やかに処理される場合を含み、伝送や処理に伴う遅延が生じる場合も許容する。
【００２４】
（実施の形態）
図１を参照して、本発明の実施の形態に係るコメント提供サーバ（投稿提供サーバ）１、ユーザ端末５−１およびユーザ端末５−２を説明する。コメント提供サーバ１、ユーザ端末５−１およびユーザ端末５−２は、コメント提供システム（投稿提供サーバ）８に用いられる、コメント提供システム８は、さらに、動画配信サーバ（コンテンツ提供サーバ）２を備える。コメント提供サーバ１、動画配信サーバ２、ユーザ端末５−１およびユーザ端末５−２は、それぞれ、インターネットなどの通信ネットワーク６を介して、相互に通信可能に接続される。
【００２５】
なお本発明の実施の形態において、ユーザ端末５−１およびユーザ端末５−２を区別しない場合、単にユーザ端末５と記載する場合がある。また図１に示すコメント提供システム８は、２つのユーザ端末５を備えるが、ユーザ端末５の数は、１でも良いし、３以上でも良い。
【００２６】
コメント提供サーバ１は、ユーザ端末５で入力されたコメント（投稿）データを、各ユーザ端末５に配信する。コメント提供サーバ１は、動画毎に、各ユーザ端末５から収集したコメントデータを管理し、動画を閲覧中の各ユーザ端末５に、その動画に関するコメントデータを配信する。
【００２７】
動画配信サーバ２は、ユーザ端末５に、動画データを配信する。動画配信サーバ２は、生放送で、リアルタイムに動画データを、ユーザ端末５に一斉に配信しても良いし、既に録画された動画データをユーザ端末５からのリクエストに応じて配信しても良い。
【００２８】
ユーザ端末５は、動画配信サーバ２から配信された動画データを出力してユーザに視聴させる。またユーザ端末５は、視聴中の動画データに対するコメントデータを、コメント提供サーバ１に送信し、コメント提供サーバ１から、各ユーザ端末５で入力されたコメントデータを受信する。ユーザ端末５は、受信したコメントデータを、動画データに重畳して表示しても良いし、動画データと異なるエリアに表示しても良い。ユーザ端末５は、コメントデータを動画データに重畳する場合、動画データ上で、右から左などの所定方向に流れるように表示する演出が施されても良い。
【００２９】
なお、本発明の実施の形態において、ユーザが、視聴するコンテンツとして動画である場合を説明するが、動画に限られない。例えば、音楽、静止画などの各種コンテンツでも良いし、電波を通じて放送されるテレビ番組またはラジオ番組のコンテンツであってもよい。
【００３０】
本発明の実施の形態において、動画配信サーバ２は、複数の対象が出現する動画データ（コンテンツ）を配信する。動画データが、野球などのスポーツの試合である場合、「対象」は、対戦するチームである。また動画データが、複数の個人またはグループが登場する音楽番組である場合、「対象」は、個人またはグループであっても良いし、グループに属する個人であっても良い。また動画データは、旅行先、料理、商品などの複数の事項を紹介する番組である場合、「対象」は、紹介される旅行先、料理、商品などである。動画データが、国会中継などの議論する場合、「対象」は、議論における弁士または党である。
【００３１】
本発明の実施の形態に係るコメント提供システム８は、各ユーザ端末５のユーザは、動画データに出現する複数の対象のうちのいずれかに肩入れしてコメントする場合に好適である。各ユーザが入力したコメントは、動画データに出現する複数の対象のうち、そのユーザが贔屓する対象に応じた表示形態で表示される。ユーザ端末５で表示される各ユーザのコメントは、各ユーザが贔屓する対象毎に異なる表示形態で表示されるので、同じ表示形態のコメントは、同じ対象を贔屓していることがわかる。
【００３２】
通信ネットワーク６を介して各ユーザが遠隔地で動画データを閲覧している場合でも、各ユーザが入力したコメントは、各ユーザが贔屓する対象に応じた表示形態で表示される。同じ対象を贔屓するユーザ同士で、連携して対象を応援したり、また贔屓する対象以外の対象や、その対象を応援するユーザに対して対抗心を共有したりするなど、所定の対象を贔屓する複数のユーザは、リアルタイムに観覧するコンテンツと同様に、連帯感を持ち、気分を向上させて、動画に熱中して観覧することが可能になる。
【００３３】
（コメント提供サーバ）
図２を参照して、本発明の実施の形態に係るコメント提供サーバ１を説明する。コメント提供サーバ１は、記憶装置１０、処理装置２０および通信制御装置３０を備える一般的なコンピュータである。一般的なコンピュータが、所定の機能を実現するためのプログラムを実行することにより、図２に示す各機能を実現する。通信制御装置３０は、コメント提供サーバ１が通信ネットワーク６に接続するためのインタフェースである。
【００３４】
記憶装置１０は、所定の機能を実現するためのプログラムを記憶するとともに、処理装置２０が入出力するデータを記憶する。記憶装置１０は、コメント蓄積データＣを記憶する。
【００３５】
コメント蓄積データＣは、ユーザが入力したコメントを蓄積したデータである。コメント蓄積データＣは、図３に示すように、コメント識別子、時間、コメント内容およびユーザの支持対象を対応づけたデータである。コメント蓄積データＣは、ユーザ端末５から送信された各コメントデータについて、コメント識別子を採番し、対応づけて蓄積する。本発明の実施の形態において、コメント蓄積データＣを構成する各レコードを、コメントデータと称する。
【００３６】
「コメント識別子」は、ユーザが入力した個々のコメントを識別する識別子である。「時間」は、ユーザがコメントを入力したタイミングを特定するものであり、例えば、ユーザが閲覧中の動画データのタイムラインの時間が設定される。「コメント内容」は、ユーザが入力したコメント情報である。「ユーザの支持対象」は、動画データに出現する複数の対象のうち、このコメントを入力したユーザが支持する対象の識別子である。
【００３７】
処理装置２０は、記憶装置１０が記憶するデータを入出力して、所定のプログラムを実行する。処理装置２０は、コメント受信部２１およびコメント出力部２２を備える。
【００３８】
コメント受信部２１は、ユーザ端末５から、複数の対象が出現する動画データ（コンテンツデータ）に関するコメントデータを受信する。本発明の実施の形態においてコメントデータは、コメントが入力された時間情報およびユーザが入力したコメント内容のほか、このコメントデータを入力したユーザが贔屓する対象の識別子を含む。
【００３９】
コメント受信部２１は、ユーザ端末５からコメントデータを受信すると、受信したコメントデータを識別するコメント識別子を採番し、採番されたコメント識別子と、受信したコメントデータとを対応づけて、コメント蓄積データＣに記憶する。
【００４０】
コメント出力部２２は、コメントデータを、ユーザ端末５に送信する。動画配信サーバ２が配信する動画のタイムラインにあわせてコメントデータがユーザ端末５に表示されるように、コメント出力部２２は、コメント蓄積データＣの各コメントデータを、ユーザ端末５に送信する。
【００４１】
ユーザ端末５に、生放送でリアルタイムに動画データが一斉に配信されている場合、コメント出力部２２は、コメント受信部２１が受信したコメントデータを即座に、各ユーザ端末５に配信する。また録画された動画に関するコメントデータを配信する場合、コメント出力部２２は、その動画に関する全てのコメントデータをタイムラインに関係なく送信し、ユーザ端末５に各コメントを指定された時間に表示させても良い。またコメント出力部２２は、コメント提供サーバ１およびユーザ端末５間の通信遅延を考慮して、その動画に関する各コメントデータを、再生中の動画の指定されたタイムラインよりも早めに送信しても良い。
【００４２】
（ユーザ端末）
図４を参照して、本発明の実施の形態に係るユーザ端末５を説明する。ユーザ端末５は、記憶装置５０、処理装置６０、入力装置７０、出力装置８０および通信制御装置９０を備える一般的なコンピュータである。一般的なコンピュータが、所定の機能を実現するためのプログラムを実行することにより、図４に示す各機能を実現する。
【００４３】
入力装置７０は、マウス、キーボードなどであって、ユーザ端末５のユーザの指示を入力するための装置である。出力装置８０は、表示装置などであって、ユーザ端末５のユーザに、処理装置６０の出力結果を表示するための装置である。入力装置７０および出力装置８０は、それぞれ個別に筐体を設ける必要はなく、例えばタッチパネルのように、入力装置７０と出力装置８０とを兼ね備えることが可能な装置で実現されても良い。通信制御装置９０は、ユーザ端末５が通信ネットワーク６に接続するためのインタフェースである。
【００４４】
記憶装置５０は、所定の機能を実現するためのプログラムを記憶するとともに、処理装置６０が入出力するデータを記憶する。記憶装置５０は、支持対象データ５１、入力コメントデータ５２およびコメント蓄積データＣを記憶する。
【００４５】
支持対象データ５１は、動画に出現する複数の対象のうち、ユーザ端末５を利用するユーザが支持する（贔屓する）対象の識別子である。
【００４６】
入力コメントデータ５２は、ユーザ端末５のユーザが、テキストボックス等に入力した一連の文字列である。例えば、ユーザがコメントを入力した後、ユーザによって、送信の指示が入力されると、入力コメントデータ５２が生成される。生成された入力コメントデータ５２は、一時的に記憶装置５０に記憶され、コメント提供サーバ１に送信される。
【００４７】
コメント蓄積データＣは、ユーザ端末５がコメント提供サーバ１から受信したデータである。コメント蓄積データＣは、図３に示すように、コメント識別子、時間、コメント内容、ユーザの支持対象などが対応づけられたデータである。
【００４８】
処理装置６０は、記憶装置５０が記憶するデータを入出力して、所定のプログラムを実行する。処理装置６０は、支持対象選択部６１、コメント受付部６２、コメント送信部６３、コメント表示部６４および動画提供部６５を備える。
【００４９】
支持対象選択部６１は、ユーザ端末５のユーザに、動画に出現する複数の対象のうちのいずれを支持するか（贔屓するか）を選択させる。支持対象選択部６１は、動画に出現する複数の対象について、複数の対象のいずれかを選択させる選択画面を表示し、選択された対象を、ユーザに対応する対象とする。このとき支持対象選択部６１は、対象の名前などの識別子を出力装置８０に表示して、ユーザに、入力装置７０を介して、自身が支持する対象を選択させる。支持対象選択部６１は、ユーザが選択した対象の識別子を、支持対象データ５１として記憶装置５０に記憶する。
【００５０】
支持対象選択部６１は、コメント提供サーバ１からの指示で選択画面を表示しても良いし、自律的に表示しても良い。自律的に表示する場合、支持対象選択部６１は、動画に対応づけられたメタデータから、動画に出現する複数の対象を特定し、特定した対象を選択可能な画面を表示する。
【００５１】
本発明の実施の形態において支持対象選択部６１は、動画配信サーバ２から取得した動画データを出力した直後に、選択画面を表示する。動画データを出力した直後に、選択画面を表示することで、動画データを閲覧する当初から、いずれかの対象に肩入れすることで、コンテンツを楽しむことが可能になる。
【００５２】
例えば動画データの最初の数フレームが表示されると、支持対象選択部６１は、図５に示すように、支持対象を選択させる支持対象選択画面Ｖ１を重ねて表示する。例えばＡチームとＢチームが対戦する野球ゲームの動画について、「どちらのファンですか？」との問いかけとともに、「Ａチーム」を選択する仮想ボタンと、「Ｂチーム」を選択する仮想ボタンを表示する。
【００５３】
このとき支持対象選択画面Ｖ１は、図５に示すように、動画配信サーバ２から取得した動画データに重ねて表示されても良いし、動画データを一時停止した静止画の上に表示されても良い。また支持対象選択画面Ｖ１は、動画データとは関係ない無色の画面の上に表示されても良い。
【００５４】
ユーザが、ＡチームまたはＢチームのいずれかの仮想ボタンを押下すると、支持対象選択部６１は、ユーザが選択した対象の識別子を、支持対象データ５１として記憶装置５０に記憶する。さらに、支持対象選択画面Ｖ１を消去して、動画配信サーバ２から取得した動画を再生させる。
【００５５】
コメント受付部６２は、入力装置７０から、複数の対象が出現する動画データに関するコメントデータを受け付ける。コメント受付部６２は、ユーザ端末５のユーザに、動画配信サーバ２から配信された動画に対するコメントを入力させ、そのコメントデータを、入力コメントデータ５２として記憶装置５０に記憶する。例えば、テキストボックスと送信ボタンを出力装置８０に表示して、ユーザに、入力装置７０を介して、テキストボックスにコメント情報を入力させる。さらにユーザが送信ボタンを選択（押下）すると、コメント受付部６２は、テキストボックスに入力された情報を取得して、入力コメントデータ５２を生成する。
【００５６】
コメント送信部６３は、入力コメントデータ５２を、コメント提供サーバ１に送信する。本発明の実施の形態においてコメント送信部６３は、入力コメントデータ５２を送信する度に、支持対象データ５１も、コメント提供サーバ１に送信する。
【００５７】
コメント表示部６４は、コメント提供サーバ１から受信したコメントデータを、複数の対象のうちユーザ端末５のユーザに対応する対象に応じた表示態様で表示する。本発明の実施の形態においてコメント表示部６４は、コメント提供サーバ１から受信したコメントデータを、コメント蓄積データＣに蓄積し、出力装置８０に表示する。
【００５８】
コメント表示部６４は、コメント蓄積データＣに含まれる各コメントデータのコメント内容を、コメントデータに含まれるユーザの支持対象の識別子毎に表示態様を変更して、表示する。ここでユーザ端末５は、支持対象の識別子と、この識別子に対応する表示態様のテーブルを保持し、このテーブルから、表示しようとするコメント内容に対応づけられた支持対象の識別子に対応する表示態様を取得して、取得した表示態様で、コメント内容を表示する。このテーブルは、ユーザが個別に作成しても良いし、コメント提供サーバ１から配布されても良い。
【００５９】
ここで、コメントの表示態様は、コメントデータの文字の色、濃さ、大きさ、コメントデータを流す速度または方向、コメントデータの文字に付加する記号または文字、コメントデータの数、およびコメントデータの表示エリアのうちのいずれか一つ以上である。或いはコメントの表示態様は、ユーザ端末５のユーザが選択した支持対象以外の対象に関するコメントデータの非表示であっても良い。
【００６０】
例えば、ＡチームとＢチームが対戦する野球ゲームの動画について、Ａチームを支持するユーザが入力したコメントは、図６のコメント表示画面Ｖ２に示すように、大きい字かつ太字で表示され、Ｂチームを支持するユーザが入力したコメントは、小さい字かつ細字で表示される。図６に示すコメント表示画面Ｖ２は、Ａチームを支持するユーザのユーザ端末５に表示される画面である。コメント表示画面Ｖ２は、Ａチームを支持するユーザが、Ａチームを支持する他のユーザと連帯感を持ちやすいように、Ａチームを支持する各ユーザのコメントを目立たせ、Ｂチームを支持する各ユーザのコメントを控え目に、表示している。
【００６１】
これに対し同様の動画データに関するコメントを、Ｂチームを支持するユーザのユーザ端末５に表示する場合、Ｂチームを支持するユーザが入力したコメントは、大きい字かつ太字で表示され、Ａチームを支持するユーザが入力したコメントは、小さい字かつ細字で表示されるように制御されても良い。
【００６２】
コメント表示部６４は、表示されたコメントを見るだけで、このコメントを入力したユーザが、どの対象を支持しているかがわかるように、支持対象毎に表示態様を変更して表示する。
【００６３】
動画提供部６５は、動画配信サーバ２から取得した動画データ（コンテンツデータ）５３を、出力装置８０に出力する。動画提供部６５は、支持対象選択部６１が支持対象選択画面Ｖ１を表示する間、再生を停止したり、画面に無色の画面を表示したりするなど、任意の制御がなされても良い。
【００６４】
ここで、コメントの表示態様の一例について詳述する。ＡおよびＢの２つの対象が出現する動画データを例に挙げて説明する。
【００６５】
（１）コメントデータの色
コメント表示部６４は、対象Ａを支持するユーザが入力したコメントを赤字で表示し、対象Ｂを支持するユーザが入力したコメントを青字で表示する。
【００６６】
（２）コメントデータの濃さおよび大きさ
コメント表示部６４は、ユーザ端末５のユーザと同じ対象を支持するユーザが入力したコメントを、濃い字または大きい字で表示する。またユーザ端末５のユーザと異なる対象を支持するユーザが入力したコメントを、薄い字または小さい字で表示する。
【００６７】
（３）コメントデータを流す速度または方向
コメント表示部６４は、対象Ａを支持するユーザが入力したコメントを、動画データ上で、右から左に流れるように表示し、対象Ｂを支持するユーザが入力したコメントを、動画データ上で、下から上に流れるように表示する。またコメント表示部６４は、ユーザ端末５のユーザと同じ対象を支持するユーザが入力したコメントを、遅い速度で流し、ユーザ端末５のユーザと異なる対象を支持するユーザが入力したコメントを、遅い速度で流す。
【００６８】
（４）コメントデータの文字に付加する記号または文字
コメント表示部６４は、対象Ａを支持するユーザが入力したコメント内容に、「★」などの所定の記号を文末または文頭等の所定の位置に付し、対象Ｂを支持するユーザが入力したコメント内容に、「■」などの「★」とは異なる所定の記号を文末または文頭等の所定の位置に付す。また記号ではなく、「なり」、「にゃー」、「ぴょん」など、対象毎に異なる所定の文字列を、所定の位置に付してもよい。
【００６９】
（５）コメントデータの数
コメント表示部６４は、対象毎にスクリーニングする割合を変更して表示する。例えば、Ａチームを支持するユーザのユーザ端末５に表示される画面において、Ａチームを支持する各ユーザのコメントの数が相対的に多く、Ｂチームを支持する各ユーザのコメントの数が相対的に少なくなるように、各コメントをスクリーニングして表示する。
【００７０】
（６）コメントデータの表示エリア
コメント表示部６４は、コメントを表示するエリアを２つに区分し、各区分に、対象Ａを支持するユーザが入力したコメントと、対象Ｂを支持するユーザが入力したコメントとを、区別して表示する。
【００７１】
例えば図７に示すように、コメント表示画面Ｖ３は、画面の上部に、Ａチームを支持するユーザのコメントを表示する対象Ａ支持ユーザコメント表示部Ｖ３ａを設け、画面の下部に、Ｂチームを支持するユーザのコメントを表示する対象Ｂ支持ユーザコメント表示部Ｖ３ｂを設ける。図７に示す例では、各支持対象について、同様の大きさの表示エリアを与えたが、支持対象毎に異なる大きさの表示エリアを与えても良い。例えば、Ａチームを支持するユーザのユーザ画面において、対象Ａ支持ユーザコメント表示部Ｖ３ａを広く設け、対象Ｂ支持ユーザコメント表示部Ｖ３ｂを狭く設ける。
【００７２】
（７）コメントデータの非表示
コメント表示部６４は、ユーザ端末５のユーザが支持する対象以外の対象を支持する他ユーザのコメントを、表示しないように制御する。コメント表示部６４は、ユーザ端末５のユーザが支持する対象を支持するユーザのコメントのみを閲覧することができる。
【００７３】
なお、上記（１）ないし（７）は、矛盾しない限りにおいて、表示態様を組み合わせても良い。例えば、図７に示すように支持対象毎に表示エリアを分ける場合でも、上記（１）ないし（５）に示すように、コメントデータの色、濃さ、大きさなどを変更しても良い。
【００７４】
（コメント提供方法）
図８を参照して、本発明の実施の形態に係るコメント提供方法（投稿提供方法）を説明する。図８に示す例は、リアルタイムに所定の動画データを、ユーザ端末５−１およびユーザ端末５−２に配信し、ユーザ端末５−１で入力されたコメントが、各ユーザ端末５で共有される場合を説明する。
【００７５】
まずステップＳ１において、ユーザ端末５−１は、動画配信サーバ２から取得した動画データを出力装置８０に出力し、ユーザに動画データの閲覧を開始させる。ユーザが動画データの閲覧を開始した旨がコメント提供サーバ１に通知され、ユーザが動画データの閲覧を開始した直後に、ステップＳ２において、コメント提供サーバ１は、ユーザ端末５−１に、図５に示す支持対象選択画面Ｖ１を表示する。なお、ユーザ端末５−１は、コメント提供サーバ１の制御に依らず、自律的に支援対象選択画面Ｖ１を表示しても良い。ステップＳ３において、ユーザ端末５のユーザが、支持対象を選択すると、ユーザ端末５は、選択された支持対象の識別子を、支持対象データ５１として記憶装置５０に記憶する。
【００７６】
ステップＳ４ないしＳ６において、ステップＳ１ないしＳ３と同様の処理を、ユーザ端末５−２について行う。
【００７７】
ここで、ユーザ端末５−１において、ユーザが動画に対するコメントを入力したとする。このときユーザ端末５−１は、ステップＳ７において、ユーザが入力したコメントと、ステップＳ３で保存された支持対象の識別子とを、コメント提供サーバ１に送信する。コメント提供サーバ１は、ステップＳ８において、ステップＳ７で受信したコメントおよび支持対象の識別子等を対応づけて、コメント蓄積データＣを更新する。
【００７８】
その後、コメント提供サーバ１は、ステップＳ９において、ユーザ端末５−１に、ステップＳ７で送信されたコメントデータを送信する。ステップＳ１０において、ユーザ端末５−１は、ステップＳ１で閲覧を開始した動画に、ステップＳ９で受信したコメントを重畳して表示する。同様に、コメント提供サーバ１は、ステップＳ１１において、ユーザ端末５−２に、ステップＳ７で送信されたコメントデータを送信する。ステップＳ１２において、ユーザ端末５−２は、ステップＳ４で閲覧を開始した動画に、ステップＳ１１で受信したコメントを重畳して表示する。
【００７９】
このように本発明の実施の形態において、各ユーザの支持対象に応じて、各ユーザのコメントの表示態様を設定するので、ユーザは、コメントの表示態様を見て、自身と同じ対象を支持しているか否かを把握することができる。これにより、同じ対象を支持するユーザ同士が、コメントを介して連携して対象を応援することが可能になり、競技会場やパブリックビューイングなどで、リアルに観覧する場合と同様の連帯感を提供することができる。
【００８０】
さらに動画を閲覧するユーザを、支援する対象毎に区分してコメントを装飾することにより、コメントの送受信において、対象毎に区分されるユーザ間で競わせたり、ユーザのコメント入力を煽ったりする演出が可能になる。これにより本発明の実施の形態に係るコメント提供方法は、動画視聴およびコメント入力に対して、さらにユーザの興味を引きつけ、コンテンツを視聴するための魅力的なプラットフォームを提供することが可能になる。
【００８１】
また本発明の実施の形態においては、動画の視聴が開始された直後に、いずれの対象を支持するかを問い合わせるので、ユーザは、いずれかの対象に肩入れして動画を視聴することが可能になる。これにより、単に動画を視聴するよりも、熱意をもって動画を視聴し、ユーザを楽しませることが可能になる。
【００８２】
またいずれの対象にも肩入れしないユーザに対しても、さしあたり支持する対象を選択させることにより、他のユーザとの連携を楽しむことが可能になる。
【００８３】
（第１の変形例）
図９ないし図１２を参照して、第１の変形例を説明する。本発明の実施の形態においてコメントデータは、ユーザ端末５で入力されたコメントとともに、このコメントデータを入力したユーザが贔屓する対象の識別子を含むが、第１の変形例では、贔屓する対象の識別子ではなく、ユーザの識別子を含む。
【００８４】
図９に示す第１の変形例に係るコメント提供サーバ１ａは、図２に示すコメント提供サーバ１と比べて、記憶装置１０ａがユーザ支持対象データ１１を備え、処理装置２０ａがユーザ支持対象決定部２３を備える点が異なる。またコメント出力部２２ａの処理が異なる。
【００８５】
ユーザ支持対象データ１１は、図１０に示すように、ユーザ識別子と、ユーザの支持対象とを対応づけたデータである。「ユーザ識別子」は、コメント提供サーバ１ａが、ユーザを識別可能な識別子であって、ユーザＩＤであっても良いし、ＩＰアドレスであっても良い。「ユーザの支持対象」は、動画データに出現する複数の対象のうち、このユーザが指示する対象の識別子である。
【００８６】
ユーザ支持対象決定部２３は、ユーザ端末５に、複数の対象のいずれかを選択させる選択画面を表示し、選択された対象を、ユーザに対応する対象とする。ユーザ支持対象決定部２３は、ユーザ端末５から、ユーザ識別子と、このユーザの支持対象の識別子を取得し、ユーザ支持対象データ１１に記憶する。
【００８７】
ユーザ支持対象決定部２３は、ユーザ端末５において動画データが出力された直後に、選択画面を表示する。ユーザ支持対象決定部２３は、ユーザ端末５において動画データが出力されたことを動画配信サーバ２またはユーザ端末５から取得し、その直後に、ユーザが贔屓する対象を選択する画面を、ユーザ端末５に表示する。ユーザ支持対象決定部２３は、ユーザが贔屓する対象を選択すると、ユーザ端末５から、ユーザの識別子と、このユーザの支持対象の識別子を取得し、ユーザ支持対象データ１１を更新する。
【００８８】
ここで、ユーザ指示対象決定部２３が、ユーザ端末５に贔屓する対象を選択する画面を表示しない場合も考えられる。例えば、ユーザ端末５は、コメント提供サーバ１ａの制御によらず自律的に、贔屓する対象を選択する画面を表示し、ユーザによって選択された贔屓対象の識別子を、コメント配信サーバ１ａに送信する。ユーザ指示対象決定部２３は、ユーザ端末５から受信した情報に基づいて、ユーザ指示対象データ１１を更新する。
【００８９】
コメント出力部２２ａは、コメントデータをユーザ端末５に出力する際に、ユーザ支持対象データ１１を参照して、コメントを入力したユーザが支持する対象の識別子を付加する。
【００９０】
図１１に示す第１の変形例に係るユーザ端末５ａは、図４に示すユーザ端末５と比べて、支持対象選択部６１aの処理が異なる。
【００９１】
支持対象選択部６１ａは、ユーザ端末５のユーザに、動画に出現する複数の対象のうちのいずれを支持するか（贔屓するか）を選択させた後、ユーザ識別子と、選択された支持対象の識別子を、コメント提供サーバ１ａに送信する。
【００９２】
図１２を参照して、第１の変形例に係るコメント提供方法を説明する。
【００９３】
まずステップＳ５１において、ユーザ端末５−１は、動画配信サーバ２から取得した動画データを出力装置８０に出力し、ユーザに動画データの閲覧を開始させる。ユーザが動画データの閲覧を開始した旨がコメント提供サーバ１に通知され、ユーザが動画データの閲覧を開始した直後に、ステップＳ５２において、コメント提供サーバ１は、ユーザ端末５−１に、図５に示す支持対象選択画面Ｖ１を表示する。ステップＳ５３において、ユーザ端末５のユーザが、支持対象を選択すると、ユーザ端末５は、選択された支持対象の識別子を、コメント提供サーバ１に送信する。
【００９４】
ステップＳ５５ないしＳ５８において、ステップＳ５１ないしＳ５４と同様の処理を、ユーザ端末５−２について行う。ステップＳ５９においてコメント提供サーバ１は、ステップＳ５４およびステップＳ５８で受信した支援対象識別子と、各ユーザの識別子とを対応づけて、ユーザ支持対象データ１１を更新する。
【００９５】
ここで、ユーザ端末５−１においてユーザが、動画に対するコメントを入力したとする。このときユーザ端末５−１は、ステップＳ６０において、ユーザが入力したコメントと、このユーザのユーザ識別子とを、コメント提供サーバ１に送信する。コメント提供サーバ１は、ステップＳ６１において、ステップＳ６０で受信したユーザ識別子から、支持対象の識別子を特定し、コメント蓄積データＣを更新する。
【００９６】
その後、ステップＳ６２ないしＳ６５の処理は、図８のステップＳ９ないしステップＳ１２を参照して説明した通りである。
【００９７】
（第２の変形例）
本発明の実施の形態においては、ユーザ端末５が動画配信サーバ２から取得した動画データを出力した直後に、コメント提供サーバ１またはユーザ端末５が、ユーザに支持対象を選択させる選択画面を表示する場合を説明したが、これに限られない。
【００９８】
第２の変形例においてコメント提供サーバ１またはユーザ端末５は、コンテンツデータを出力する前に、選択画面を表示して、ユーザの支持対象を決定する。第２の変形例において選択画面を表示するタイミングは、ユーザが動画データを視聴する前であればよく、様々なタイミングが考えられる。
【００９９】
例えば、ユーザが、コメント提供システム８を利用する会員登録した際に、選択画面を表示しても良い。選択画面は、例えば、ユーザの属性と問い合わせるアンケートの形式である。ユーザ端末５またはコメント提供サーバ１は、ユーザの属性からユーザの支持する対象を決定することができる。
【０１００】
過去に同種の動画を視聴した際、支持対象としてユーザが選択した対象を、新たに視聴する動画においても、支持対象として決定しても良い。例えば、過去に、ＡチームとＢチームが対戦する野球ゲームの動画において、チームＡを支持対象として選択するユーザが、新たにＡチームとＢチームが対戦する野球ゲームの動画を視聴する場合、ユーザ端末５において再度、支持対象を選択する画面を表示することなく、チームＡを支持対象として特定しても良い。
【０１０１】
ユーザが視聴する動画を選択した直後であって、動画を表示する前に、選択画面を表示してもよい。
【０１０２】
さらに、動画配信サーバ２と連携して、ユーザが視聴する動画を選択する画面と、対象を選択する画面とを兼用しても良い。例えば、動画データが、対象毎に異なる場合に好適である。コメント提供サーバ１またはユーザ端末５は、ユーザ端末５に、対象毎に異なる動画データへのリンクを表示する。コメント提供サーバ１またはユーザ端末５は、選択画面で選択された対象に対応するコンテンツデータを出力するように制御する。
【０１０３】
具体的には、コメント提供サーバ１は、ユーザ端末５に、図１３に示すような支持対象選択画面Ｖ１１を表示する。支持対象選択画面Ｖ１１には、各対象に向けた動画を視聴するための仮想ボタンが設けられている。ユーザが支持する対象に対応する仮想ボタンを選択すると、コメント提供サーバ１またはユーザ端末５は、ユーザによって選択された動画データの識別子を動画配信サーバ２に通知して、ユーザ端末５がコメントを入力できるように制御する。これによりユーザ端末５は、動画データを視聴可能になり、またコメントを入力可能になる。
【０１０４】
このように表示される動画データについて、動画に出現する対象毎に表示態様を変更して、各ユーザが入力したコメントが表示される。例えば、ユーザが支持する対象を支持する各ユーザのコメントは、太字かつ大きい字で表示され、ユーザが支持する対象を以外の対象を支持する各ユーザのコメントは、細字かつ小さい字で表示される。
【０１０５】
第２の変形例においては、本発明の実施の形態および第１の変形例で説明したように、ユーザがコメントを送信する度に、ユーザが支持する対象の識別子またはユーザ識別子を送信することがない。また第２の変形例において、動画データまたはコメントに、各支持対象に特化したコンテンツを付加することも可能である。
【０１０６】
（第３の変形例）
所定の動画データを閲覧する際に、ユーザが支持する対象を選択させる画面を複数回出力することも可能である。コメント提供サーバ１またはユーザ端末５は、所定のタイミングで選択画面を表示する処理を繰り返し、ユーザに対応する対象が変更された場合、このユーザのコメントデータを、変更後の対象に応じた表示態様で表示する。
【０１０７】
例えば、国会の中継やディベートの中継など、複数の対象が対立し、またその対立によってユーザの支持する対象が変更される場合が考えられる。そこで、コメント提供サーバ１またはユーザ端末５は、動画の所定のタイミングで、支持対象の変更の有無を問い合わせる画面を、ユーザ端末５に表示する。
【０１０８】
視聴の途中で支持対象が変更されると、そのユーザの入力したコメントは、変更後の支持対象の表示態様で表示される。例えば、変更前の支持対象のコメントについて、赤色で表示され、変更後の支持対象のコメントについて、青色で表示される。
【０１０９】
さらに、所定の支持対象について、当初からその支持対象を選択したユーザが入力したコメントと、途中でその対象に変更したユーザが入力したコメントとで区別することも可能である。例えば、当初から所定の支持対象を選択したユーザのコメントは、青色で表示され、途中でその対象に変更したユーザが入力したコメントは、青色で、かつ下線を施して表示される。選択に迷っているユーザは、支持を変えたユーザのコメントに着目することにより、支持を変更する動機となる場合がある。
【０１１０】
（第４の変形例）
上記の説明において、ユーザが明示的に支持対象を選択する場合を説明したが、これに限られない。
【０１１１】
例えば、対象選択画面を表示してから、所定時間選択がない場合、ユーザ端末５またはコメント提供サーバ１が、このユーザの支持対象を任意に決定させても良い。このユーザが入力したコメントが、所定の支持対象に対応する表示形態で表示される。これにより、どの対象を支持するかを決めかねているユーザであっても、他のユーザとの連携を楽しむことができる。また、対象を支持する気持ちが芽生えることが期待できるので、コンテンツに対するユーザの興味を引きつけることが可能になる。
【０１１２】
また、支援対象を選択することなく、ユーザに動画を視聴させ、コメントを入力させても良い。支援対象を選択しないユーザが入力したコメントについては、支援対象を選択したユーザが入力したコメントのいずれの表示形態とも異なる表示形態で表示されても良い。
【０１１３】
（その他の実施の形態）
上記のように、本発明の実施の形態と第１ないし第４の変形例によって記載したが、この開示の一部をなす論述および図面はこの発明を限定するものであると理解すべきではない。この開示から当業者には様々な代替実施の形態、実施例および運用技術が明らかとなる。
【０１１４】
例えば、本発明の実施の形態に記載したコメント提供サーバは、図２に示すように一つのハードウエア上に構成されても良いし、その機能や処理数に応じて複数のハードウエア上に構成されても良い。また、既存のコメント提供システム上に実現されても良い。
【０１１５】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１１６】
１  コメント提供サーバ
２  動画配信サーバ
５  ユーザ端末
６  通信ネットワーク
８  コメント提供システム
１０、５０  記憶装置
１１  ユーザ支持対象データ
２０、６０  処理装置
２１  コメント受信部
２２  コメント出力部
２３  ユーザ支持対象決定部
３０、９０  通信制御装置
５１  支持対象データ
５２  入力コメントデータ
５３  コンテンツデータ
６１  支持対象選択部
６２  コメント受付部
６３  コメント送信部
６４  コメント表示部
６５  動画提供部
７０  入力装置
８０  出力装置
Ｃ  コメント蓄積データ
【図１】
2019087140.tif 000003
【図２】
2019087140.tif 000004
【図３】
2019087140.tif 000005
【図４】
2019087140.tif 000006
【図５】
2019087140.tif 000007
【図６】
2019087140.tif 000008
【図７】
2019087140.tif 000009
【図８】
2019087140.tif 000010
【図９】
2019087140.tif 000011
【図１０】
2019087140.tif 000012
【図１１】
2019087140.tif 000013
【図１２】
2019087140.tif 000014
【図１３】
2019087140.tif 000015
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
生放送でリアルタイムに配信されるコンテンツデータがユーザ端末に出力される際に、前記コンテンツデータに出現する複数の対象のいずれの対象を支持するかを選択させる選択画面を前記ユーザ端末に表示し、前記ユーザ端末のユーザが選択した対象の識別子を取得するユーザ支持対象決定部と、
前記ユーザ端末から、前記コンテンツデータに関する投稿データを受信する投稿受信部と、
前記投稿データを、前記識別子に従って前記ユーザが選択した対象に応じた表示態様で前記ユーザ端末に出力させる投稿出力部を備え、
ことを特徴とする投稿提供サーバ。
【請求項２】
前記ユーザ支持対象決定部は、前記ユーザ端末において前記コンテンツデータが出力された直後に、前記選択画面を表示する
ことを特徴とする請求項１に記載の投稿提供サーバ。
【請求項３】
前記ユーザ支持対象決定部は、前記コンテンツデータを出力する前に、前記選択画面を表示する
ことを特徴とする請求項１に記載の投稿提供サーバ。
【請求項４】
前記コンテンツデータは、対象毎に異なり、
前記ユーザ支持対象決定部は、前記選択画面で選択された対象に対応するコンテンツデータを出力するように制御する
ことを特徴とする請求項３に記載の投稿提供サーバ。
【請求項５】
前記ユーザ支持対象決定部は、所定のタイミングで前記選択画面を表示する処理を繰り返し、前記ユーザに対応する対象が変更された場合、前記投稿データを、変更後の対象に応じた表示態様で表示する
ことを特徴とする請求項１に記載の投稿提供サーバ。
【請求項６】
前記表示態様は、
前記投稿データの文字の色、濃さ、大きさ、投稿データを流す速度または方向、投稿データの文字に付加する記号または文字、および投稿データの表示エリアのうちのいずれか一つ以上、または投稿データの非表示である
ことを特徴とする請求項１ないし５のいずれか１項に記載の投稿提供サーバ。
【請求項７】
コンピュータを、
生放送でリアルタイムに配信されるコンテンツデータがユーザ端末に出力される際に、前記コンテンツデータに出現する複数の対象のいずれの対象を支持するかを選択させる選択画面を前記ユーザ端末に表示し、前記ユーザ端末のユーザが選択した対象の識別子を取得するユーザ支持対象決定部と、
前記ユーザ端末から、前記コンテンツデータに関する投稿データを受信する投稿受信部と、
前記投稿データを、前記識別子に従って前記ユーザが選択した対象に応じた表示態様で前記ユーザ端末に出力させる投稿出力部として機能させる
ことを特徴とする投稿提供プログラム。
【請求項８】
コンピュータを、
生放送でリアルタイムに配信されるコンテンツデータが出力される際に、前記コンテンツデータに出現する複数の対象のいずれの対象を支持するかを選択させる選択画面を表示し、前記コンピュータのユーザに前記複数の対象のうちいずれかの対象を選択させるユーザ支持対象決定部と、
入力装置から、複数の対象が出現するコンテンツデータに関する投稿データを受け付け、前記投稿データを投稿提供サーバに送信する投稿受付部と、
投稿提供サーバから受信した前記投稿データを、前記複数の対象のうち前記ユーザが選択した対象に応じた表示態様で表示する投稿表示部として機能させる
ことを特徴とするユーザプログラム。
【請求項９】
ユーザ端末と投稿提供サーバとを備える投稿提供システムであって、
前記ユーザ端末は、
入力装置から、複数の対象が出現するコンテンツデータに関する投稿データを受け付け、前記投稿提供サーバに送信する投稿受付部と、
前記投稿データを、前記複数の対象のうち前記ユーザ端末のユーザが選択した対象に応じた表示態様で表示する投稿表示部を備え、
前記投稿提供サーバは、
コンテンツデータが前記ユーザ端末に出力される際に、前記コンテンツデータに出現する複数の対象のいずれの対象を支持するかを選択させる選択画面を前記ユーザ端末に表示し、前記ユーザが選択した対象の識別子を取得するユーザ支持対象決定部と、
前記ユーザ端末から、前記コンテンツデータに関する投稿データを受信する投稿受信部と、
前記投稿データを、前記識別子に従って前記ユーザが選択した対象に応じた表示態様で前記ユーザ端末に表示させる投稿出力部を備え、
前記コンテンツデータは、生放送でリアルタイムに前記ユーザ端末に配信される
ことを特徴とする投稿提供システム。
【請求項１０】
ユーザ端末と投稿提供サーバとを備える投稿提供システムに用いられる投稿提供方法であって、
前記ユーザ端末が、
入力装置から、複数の対象が出現するコンテンツデータに関する投稿データを受け付け、前記投稿提供サーバに送信するステップと、
前記投稿データを、前記複数の対象のうち前記ユーザ端末のユーザが選択した対象に応じた表示態様で表示するステップを備え、
前記投稿提供サーバが、
コンテンツデータが前記ユーザ端末に出力される際に、前記コンテンツデータに出現する複数の対象のいずれの対象を支持するかを選択させる選択画面を前記ユーザ端末に表示し、前記ユーザが選択した対象の識別子を取得するステップと、
前記ユーザ端末から、前記コンテンツデータに関する投稿データを受信するステップと、
前記投稿データを、前記識別子に従って前記ユーザが選択した対象に応じた表示態様で前記ユーザ端末に表示させるステップを備え、
前記コンテンツデータは、生放送でリアルタイムに前記ユーザ端末に配信される
ことを特徴とする投稿提供方法。